(57)【要約】【課題】傾きの小さい取付構造が得られると共に、小型に適した高周波回路ユニットの取付構造を提供する。【解決手段】本考案の高周波回路ユニットの取付構造において、枠体１は、間隔を置いて互いに対向して配置された一対の側面壁１ａ、１ｂと、この一対の側面壁１ａ、１ｂ間に設けられ、同軸型のコネクタ６を取り付けた正面壁１ｃと、一対の側面壁１ａ、１ｂのそれぞれから下方に突出して設けられた第１の取付脚２，３と、正面壁１ｃから下方に突出して設けられた第２の取付脚４とを有し、第１，第２の取付脚２，３，４のそれぞれがマザー基板７の孔に挿入されて取り付けられるようにしたため、第２の取付脚４によって、同軸型のコネクタ６の重みによる傾きが阻止され、その結果、傾きの少ない、或いは傾きの無い状態の取付構造が提供できる。【選択図】　　　　図３
0003097769.tif 000002
【実用新案登録請求の範囲】
【請求項１】
金属板からなる箱形の枠体と、この枠体外に突出した状態で、前記枠体に取り付けられた同軸型のコネクタとを備え、前記枠体は、間隔を置いて互いに対向して配置された一対の側面壁と、この一対の側面壁間に設けられ、前記コネクタを取り付けた正面壁と、前記一対の側面壁のそれぞれから下方に突出して設けられた第１の取付脚と、前記正面壁から下方に突出して設けられた第２の取付脚とを有し、前記第１，第２の取付脚のそれぞれがマザー基板の孔に挿入されて取り付けられるようにしたことを特徴とする高周波回路ユニットの取付構造。
【請求項２】
前記第１の取付脚は、前記正面壁の反対側である前記枠体の後面側に配置されたことを特徴とする請求項１記載の高周波回路ユニットの取付構造。
【請求項３】
前記枠体は、前記正面壁の下部に位置した状態で、前記一対の側面壁間に設けられ下面壁を有し、前記第１，第２の取付脚は、前記下面壁より下方に突出し、前記マザー基板の前記孔に挿入される突片と、前記突片の根本部に設けられ、前記マザー基板の上面に当接する肩部を有したことを特徴とする請求項１、又は２記載の高周波回路ユニットの取付構造。
【請求項４】
前記第１の取付脚の前記突片は、前記正面壁の反対側である前記枠体の後面側に配置されると共に、前記第１の取付脚の前記肩部は、前記正面壁側に配置されたことを特徴とする請求項３記載の高周波回路ユニットの取付構造。
【請求項５】
前記第２の取付脚は、前記下面壁から切り曲げされて形成されたことを特徴とする請求項３、又は４記載の高周波回路ユニットの取付構造。
【請求項６】
前記第２の取付脚、或いは前記第２の取付脚と前記正面壁とに跨って、支持用孔が設けられたことを特徴とする請求項５記載の高周波回路ユニットの取付構造。
【請求項７】
前記第２の取付脚は、前記一対の側面壁間の中央部に設けられたことを特徴とする請求項３から６の何れかに記載の高周波回路ユニットの取付構造。
【考案の詳細な説明】
【０００１】
【考案の属する技術分野】
本考案はアンテナスイッチ等に使用して好適な高周波回路ユニットの取付構造に関する。
【０００２】
【従来の技術】
従来の高周波回路ユニットの取付構造の図面を説明すると、図４は従来の高周波回路ユニットの斜視図、図５は従来の高周波回路ユニットの取付構造を示す側面図である。
【０００３】
次に、従来の高周波回路ユニットの取付構造の構成を図４，図５に基づいて説明すると、金属板からなる箱形の枠体５１は、間隔を置いて互いに対向して配置された一対の側面壁５１ａ、５１ｂと、この一対の側面壁５１ａ、５１ｂ間に設けられた正面壁５１ｃと、正面壁５１ｃの下部に位置した状態で、一対の側面壁５１ａ、５１ｂ間に設けられた下面壁５１ｄと、正面壁５１ｃの上部に位置した状態で、一対の側面壁５１ａ、５１ｂ間に設けられた上面壁５１ｅを有する。
【０００４】
また、枠体５１は、下面壁５１ｄより下方に突出した状態で、一対の側面壁５１ａ、５１ｂのそれぞれから下方に突出して設けられた取付脚５２，５３を有すると共に、この取付脚５２，５３のそれぞれは、間隔を置いて配置された２個の突片５２ａ、５３ａと、この突片５２ａ、５３ａの根本部に設けられた肩部５２ｂ、５３ｂを有する。
【０００５】
また、箱形の枠体５１内には、種々の電子部品（図示せず）を搭載して、所望の電気回路を形成した回路基板５４が配置されると共に、正面壁５１ｃには、電気回路に接続された２個の同軸型のコネクタ５５が取り付けられており、このような構成によって、従来の高周波回路ユニットが形成されている。
【０００６】
そして、このような従来の高周波回路ユニットは、取付脚５２，５３の突片５２ａ、５３ａがプリント基板からなるマザー基板５６の孔（図示せず）に挿入されると共に、肩部５２ｂ、５３ｂがマザー基板５６の上面に当接した状態で、突片５２ａ、５３ａがマザー基板５６に半田付けされて、高周波回路ユニットがマザー基板５６に取り付けられる。（例えば、特許文献１参照）
【０００７】
しかし、このような従来の高周波回路ユニットの取付構造においては、一対の側面壁５１ａ、５１ｂの下部に設けられた取付脚５２，５３がマザー基板５６に取り付けられるようになっているため、取付脚５２，５３の突片５２ａ、５３ａがマザー基板５６の孔に挿入された際、同軸型のコネクタ５５の重みによって、枠体５１は正面壁５１ｃ側に大きく傾き、その結果、高周波回路ユニットが大きく傾いた状態で取り付けられる。
【０００８】
通常、高周波回路ユニットは、リフローによる半田付が行われるが、このリフローによる半田付は、取付脚５２，５３の突片５２ａ、５３ａがクリーム半田を塗布したマザー基板５６の孔に挿入された状態で、高周波回路ユニットとマザー基板５６がリフロー炉内に搬送され、クリーム半田を溶かして、取付脚５２，５３がマザー基板５６に半田付さるようになっている。
【０００９】
そして、この半田付け時において、取付脚５２，５３の突片５２ａ、５３ａがマザー基板５６の孔に挿入された時、高周波回路ユニットが同軸型のコネクタ５５の重みによって傾き、この傾いた状態で、リフロー炉内に搬送されて半田付けされる結果、高周波回路ユニットが傾いた状態で取り付けられるようになる。
【００１０】
【特許文献１】
実開平４−１０７８９５号公報
【００１１】
【考案が解決しようとする課題】
従来の高周波回路ユニットの取付構造においては、一対の側面壁５１ａ、５１ｂの下部に設けられた取付脚５２，５３がマザー基板５６に取り付けられるようになっているため、取付脚５２，５３の突片５２ａ、５３ａがマザー基板５６の孔に挿入された際、同軸型のコネクタ５５の重みによって、枠体５１は正面壁５１ｃ側に傾き、その結果、高周波回路ユニットが大きく傾いた状態で取り付けられるという問題がある。
【００１２】
そこで、本考案は傾きの小さい取付構造が得られると共に、小型に適した高周波回路ユニットの取付構造を提供することを目的とする。
【００１３】
【課題を解決するための手段】
上記課題を解決するための第１の解決手段として、金属板からなる箱形の枠体と、この枠体外に突出した状態で、前記枠体に取り付けられた同軸型のコネクタとを備え、前記枠体は、間隔を置いて互いに対向して配置された一対の側面壁と、この一対の側面壁間に設けられ、前記コネクタを取り付けた正面壁と、前記一対の側面壁のそれぞれから下方に突出して設けられた第１の取付脚と、前記正面壁から下方に突出して設けられた第２の取付脚とを有し、前記第１，第２の取付脚のそれぞれがマザー基板の孔に挿入されて取り付けられるようにした構成とした。
【００１４】
また、第２の解決手段として、前記第１の取付脚は、前記正面壁の反対側である前記枠体の後面側に配置された構成とした。
また、第３の解決手段として、前記枠体は、前記正面壁の下部に位置した状態で、前記一対の側面壁間に設けられ下面壁を有し、前記第１，第２の取付脚は、前記下面壁より下方に突出し、前記マザー基板の前記孔に挿入される突片と、前記突片の根本部に設けられ、前記マザー基板の上面に当接する肩部を有した構成とした。
【００１５】
また、第４の解決手段として、前記第１の取付脚の前記突片は、前記正面壁の反対側である前記枠体の後面側に配置されると共に、前記第１の取付脚の前記肩部は、前記正面壁側に配置された構成とした。
また、第５の解決手段として、前記第２の取付脚は、前記下面壁から切り曲げされて形成された構成とした。
【００１６】
また、第６の解決手段として、前記第２の取付脚、或いは前記第２の取付脚と前記正面壁とに跨って、支持用孔が設けられた構成とした。
また、第７の解決手段として、前記第２の取付脚は、前記一対の側面壁間の中央部に設けられた構成とした。
【００１７】
【考案の実施の形態】
本考案の高周波回路ユニットの取付構造の図面を説明すると、図１は本考案の高周波回路ユニットの取付構造を示す正面図、図２は本考案の高周波回路ユニットの取付構造を示す側面図、図３は本考案の高周波回路ユニットを示す斜視図である。
【００１８】
次に、本考案の高周波回路ユニットの取付構造の構成を図１〜図３に基づいて説明すると、金属板からなる箱形の枠体１は、間隔を置いて互いに対向して配置された一対の側面壁１ａ、１ｂと、この一対の側面壁１ａ、１ｂ間に設けられた正面壁１ｃと、正面壁１ｃの下部に位置した状態で、一対の側面壁１ａ、１ｂ間に設けられた下面壁１ｄと、正面壁１ｃの上部に位置した状態で、一対の側面壁１ａ、１ｂ間に設けられた上面壁１ｅを有する。
【００１９】
また、枠体１の一対の側面壁１ａ、１ｂは、下面壁１ｄより下方に突出した状態で、一対の側面壁１ａ、１ｂのそれぞれから下方に突出して設けられた第１の取付脚２，３を有すると共に、この第１の取付脚２，３のそれぞれは、下方に突出する突片２ａ、３ａと、この突片２ａ、３ａの根本部に設けられた肩部２ｂ、３ｂを有する。
【００２０】
そして、第１の取付脚２，３の突片２ａ、３ａは、正面壁１ｃの反対側である枠体１の後面側に配置されると共に、第１の取付脚２，３の肩部２ｂ、３ｂは、正面壁１ｃ側に配置された状態となっている。
【００２１】
更に、枠体１の正面壁１ｃは、下面壁１ｄから切り曲げして形成され、下面壁１ｄより下方に突出する第２の取付脚４を有すると共に、この第２の取付脚４は、下方に突出する突片４ａと、この突片４ａの根本部に設けられた肩部４ｂを有する。
【００２２】
また、第２の取付脚４は、正面壁１ｃの下部から直線状（正面壁１ｃと面一状態）に突出して、この第２の取付脚４の突片４ａと、第１の取付脚２，３の突片２ａ、３ａとが三角形の頂部に位置するように配置されていると共に、第２の取付脚４は、一対の側面壁２，３間の中央部に設けられた状態となっている。
【００２３】
そして、第２の取付脚４，或いは、第２の取付脚４と正面壁１ｃとに跨って、支持用孔５が設けられており、この支持用孔５は、ここでは図示しないが、高周波回路ユニットが電子機器に組み込まれた際、電子機器のシャーシやパネル等に設けられたネジ部材が支持用孔５にねじ込まれて、高周波回路ユニットの取付を強固で、安定にするためのものである。
【００２４】
なお、上記実施例では、取付脚２，３，４に肩部２ｂ、３ｂ、４ｂを設けたもので説明したが、この肩部２ｂ、３ｂ、４ｂを無くして、肩部を下面壁１ｄに代えても良い。
また、第１の取付脚２，３の突片２ａ、３ａは、第１の取付脚の幅方向（前後方向）の中間部に設けても良い。
また、第２の取付脚４は、枠体１と別体の金属板からなる取付脚が正面壁１ｃに取り付けられるようにしても良い。
【００２５】
また、箱形の枠体１内には、ここでは図示しないが、種々の電子部品を搭載して、所望の電気回路を形成した回路基板が配置されると共に、正面壁１ｃには、正面壁１ｃ外に突出した状態で、電気回路に接続された２個（１個でも良い）の同軸型のコネクタ６が取り付けられている。
【００２６】
そして、枠体１の開放部には、カバー（図示せず）が設けられて、枠体１内が電気的にシールドされており、このような構成によって、本考案の高周波回路ユニットが形成されている。
【００２７】
そして、このような本考案の高周波回路ユニットは、第１の取付脚２，３と第２の取付脚４の突片２ａ、３ａ、４ａがプリント基板からなるマザー基板７の孔（図示せず）に挿入されると共に、肩部２ｂ、３ｂ、４ｂがマザー基板７の上面に当接した状態で、突片２ａ、３ａ、４ａがマザー基板７に半田付けされて、高周波回路ユニットがマザー基板７に取り付けられる。
【００２８】
この時、同軸型のコネクタ６が取り付けられた正面壁１ｃの下部は、第２の取付脚４の突片４ａで支持されると共に、この第２の取付脚４の突片４ａと、第１の取付脚２，３の突片２ａ、３ａとが三角形の頂部に位置するように配置されているため、高周波回路ユニットは、マザー基板７に対して傾きの無い状態で取り付けられる。
【００２９】
また、本考案の高周波回路ユニットは、リフローによる半田付が行われるが、このリフローによる半田付は、第１の取付脚２，３と第２の取付脚４の突片２ａ、３ａ、４ａがクリーム半田を塗布したマザー基板７の孔に挿入された状態で、高周波回路ユニットとマザー基板７がリフロー炉内に搬送され、クリーム半田を溶かして、第１の取付脚２，３と第２の取付脚４がマザー基板７に半田付さるようになっている。
【００３０】
そして、この半田付け時において、第１の取付脚２，３と第２の取付脚４の突片２ａ、３ａ、４ａがマザー基板７の孔に挿入された時、高周波回路ユニットは、第２の取付脚４の突片４ａによって、同軸型のコネクタ６の重みによる傾きが阻止され、この状態で、リフロー炉内に搬送されて半田付けされる結果、高周波回路ユニットは、傾きの無い状態で取り付けられるようになる。
【００３１】
【考案の効果】
本考案の高周波回路ユニットの取付構造は、金属板からなる箱形の枠体と、この枠体外に突出した状態で、枠体に取り付けられた同軸型のコネクタとを備え、枠体は、間隔を置いて互いに対向して配置された一対の側面壁と、この一対の側面壁間に設けられ、コネクタを取り付けた正面壁と、一対の側面壁のそれぞれから下方に突出して設けられた第１の取付脚と、正面壁から下方に突出して設けられた第２の取付脚とを有し、第１，第２の取付脚のそれぞれがマザー基板の孔に挿入されて取り付けられるようにしたため、第２の取付脚によって、同軸型のコネクタの重みによる傾きが阻止され、その結果、傾きの少ない、或いは傾きの無い状態で、高周波回路ユニットの取付構造が提供できる。
【００３２】
また、第１の取付脚は、正面壁の反対側である枠体の後面側に配置されたため、第１の取付脚の突片と第２の取付脚４の突片とが三角形の頂部に位置するように配置された状態となり、このため、高周波回路ユニットの支持が安定して、傾きの無い状態で、高周波回路ユニットの取付構造が得られる。
【００３３】
また、枠体は、正面壁の下部に位置した状態で、一対の側面壁間に設けられ下面壁を有し、第１，第２の取付脚は、下面壁より下方に突出し、マザー基板の孔に挿入される突片と、突片の根本部に設けられ、マザー基板の上面に当接する肩部を有したため、突片と肩部の存在によって、高周波回路ユニットのマザー基板への支持が安定し、マザー基板への高周波回路ユニットの確実なものが得られる。
【００３４】
また、第１の取付脚の突片は、正面壁の反対側である枠体の後面側に配置されると共に、第１の取付脚の肩部は、正面壁側に配置されたため、第１の取付脚の突片と第２の取付脚４の突片とが三角形の頂部に位置するように配置された状態となり、このため、高周波回路ユニットの支持が安定して、傾きの無い状態で、高周波回路ユニットの取付構造が得られる。
【００３５】
また、第２の取付脚は、下面壁から切り曲げされて形成されたため、材料取りが良好となり、安価であると共に、特に、小型化されて正面壁の面積が小さくなったものに適用して、好適である。
【００３６】
また、第２の取付脚、或いは第２の取付脚と正面壁とに跨って、支持用孔が設けられたため、小型化されて正面壁の面積が小さくなったものに適用して、好適である。
【００３７】
また、第２の取付脚は、一対の側面壁間の中央部に設けられたため、第２の取付脚の突片による傾きの阻止が安定し、傾きの無い状態で、高周波回路ユニットの取付構造が得られる。
【図面の簡単な説明】
【図１】本考案の高周波回路ユニットの取付構造を示す正面図。
【図２】本考案の高周波回路ユニットの取付構造を示す側面図。
【図３】本考案の高周波回路ユニットを示す斜視図。
【図４】従来の高周波回路ユニットの斜視図。
【図５】従来の高周波回路ユニットの取付構造を示す側面図。
【符号の説明】
１　枠体
１ａ　側面壁
１ｂ　側面壁
１ｃ　正面壁
１ｄ　下面壁
１ｅ　上面壁
２　第１の取付脚
２ａ　突片
２ｂ　肩部
３　第１の取付脚
３ａ　突片
３ｂ　肩部
４　第２の取付脚
４ａ　突片
４ｂ　肩部
５　支持用孔
６　同軸型のコネクタ
７　マザー基板
【図１】
0003097769.tif 000003
【図２】
0003097769.tif 000004
【図３】
0003097769.tif 000005
【図４】
0003097769.tif 000006
【図５】
0003097769.tif 000007